(57)【要約】      （修正有）【課題】室内等に芳香を十分に行き渡らせることができ、デザイン的に面白味のある芳香発散装置を提供する。【解決手段】芳香発散装置１のカバー部材１３は吸水性を有するセラミックによって構成されているため、吸い上げ芯９から吸い上げられた液体芳香剤Ｆは天部の内面１５からカバー部材１３の全体に浸透する。このカバー部材１３の全体に浸透した液体芳香剤Ｆは、カバー部材１３の外面の略全体から発散されるため発散量が多くなり、室内等に芳香を十分に行き渡らせることができる。また、容器２を覆うカバー部材１３を備えたので、その外面全体を装飾部として装飾を施すことができる。従って、カバー部材１３に対し工夫したデザインを自由に施すことが可能となり、デザイン的に面白味のあるものにすることができる。【選択図】図２
0003185811.tif 000002
【実用新案登録請求の範囲】
【請求項１】
上端部に開口を有し液体芳香剤を収容する容器と、前記容器の開口から挿入され前記液体芳香剤に浸かり、且つ前記開口から上端部が突出する吸い上げ芯と、前記容器に上方から被せて前記容器の側面までを覆うカバー部材とを有し、前記カバー部材は多孔質体によって構成され、前記カバー部材の内面に前記吸い上げ芯の上端部が接触して、前記吸い上げ芯の上端部から前記カバー部材の内面へ浸透して外面から発散されることを特徴とする芳香発散装置。
【請求項２】
請求項１に記載した芳香発散装置において、カバー部材の外面は装飾が施された装飾部であることを特徴とする芳香発散装置。
【請求項３】
請求項１または２に記載した芳香発散装置において、カバー部材の下端部内側面が容器に嵌り込んでいることを特徴とする芳香発散装置。
【考案の詳細な説明】
【技術分野】
【０００１】
本考案は室内等に設置する芳香発散装置に係り、特に液体芳香剤を発散させて使用する芳香発散装置に関するものである。
【背景技術】
【０００２】
この種の芳香発散装置（芳香剤容器）には特許文献１に記載されているように、瓶等の容器に液体芳香剤を収容し、この容器の開口から吸い上げ芯を挿入して、その一部を開口から突出させている。そして、容器内の液体芳香剤を吸い上げ芯が吸い上げて、その開口から突出している部分から液体芳香剤に含まれている揮発性成分が揮発して芳香を発散するようになっている。
【先行技術文献】
【特許文献】
【０００３】
【特許文献１】特開２００３−２３５９５０号公報
【考案の概要】
【考案が解決しようとする課題】
【０００４】
しかしながら、上記従来の芳香発散装置は、液体芳香剤を発散させている部分が吸い上げ芯の容器の開口から突出している部分に限られているため、液体芳香剤の発散量が少ない。このため、室内等に芳香を十分に行き渡らせることができないという問題がある。
また、従来の芳香発散装置の基本的な構成は、瓶等の容器とその開口から一部が突出する吸い上げ芯であり、容器のデザインを多少工夫しても、デザイン的に面白味のあるものにするには限界がある。
【課題を解決するための手段】
【０００５】
本考案は上記課題を解決するためになされたものであり、請求項１の考案は、上端部に開口を有し液体芳香剤を収容する容器と、前記容器の開口から挿入され前記液体芳香剤に浸かり、且つ前記開口から上端部が突出する吸い上げ芯と、前記容器に上方から被せて前記容器の側面までを覆うカバー部材とを有し、前記カバー部材は多孔質体によって構成され、前記カバー部材の内面に前記吸い上げ芯の上端部が接触して、前記吸い上げ芯の上端部から前記カバー部材の内面へ浸透して外面から発散されることを特徴とする芳香発散装置である。
【０００６】
請求項２の考案は、請求項１に記載した芳香発散装置において、カバー部材の外面は装飾が施された装飾部であることを特徴とする芳香発散装置である。
【０００７】
請求項３の考案は、請求項１または２に記載した芳香発散装置において、カバー部材の下端部内側面が容器に嵌り込んでいることを特徴とする芳香発散装置である。
【考案の効果】
【０００８】
本考案の芳香発散装置によれば、容器を覆うカバー部材の略全体から液体芳香剤を発散させることができるので、液体芳香剤の発散量が多く、室内等に芳香を十分に行き渡らせることが可能となる。
また、容器を覆うカバー部材を備えたので、このカバーに対し工夫したデザインを自由に施すことが可能となり、デザイン的に面白味のあるものにすることができるようになる。
更に、カバー部材の下端部内側面が容器に嵌り込んでいるので、カバー部材が容器に対してずれるのを防止することができる。
【図面の簡単な説明】
【０００９】
【図１】本考案の実施の形態に係る芳香発散装置の構成を説明するための斜視図である。
【図２】図１の芳香発散装置の液体芳香剤が発散している様子を説明するための図である。
【考案を実施するための形態】
【００１０】
本考案の実施の形態に係る芳香発散装置１を図面にしたがって説明する。
符号２は容器を示し、この容器２はガラス製の角瓶であって、本体３、首部４を有している。首部４の上端部分は拡径部６となっており、その上端に開口５が形成されている。
【００１１】
符号９は吸い上げ芯を示し、この吸い上げ芯９は吸水性に優れた繊維束によって形成されている。吸い上げ芯９は直径の小さな紐状の吸い上げ部１１と、吸い上げ部１１の一端側に形成された高さ寸法の小さいほぼ円柱状の突出部１２とによって構成されている。突出部１２の直径は拡径部６にぴったり嵌る寸法に形成されている。
吸い上げ部１１は首部４から容器２へ挿入されており、容器２の底部に達している。突出部１２は拡径部６に嵌り、その上端部が開口５から突出した状態となっている。
【００１２】
容器２には液体芳香剤Ｆが入れられており、この液体芳香剤Ｆに吸い上げ部１１が浸かった状態となる。液体芳香剤Ｆはこの吸い上げ部１１から吸い上げられて、突出部１２まで浸透した状態となっている。
【００１３】
符号１３はカバー部材を示し、このカバー部材１３は吸水性を有するセラミック等の多孔質体よって構成されている。カバー部材１３は容器２に被せられて、容器２の側面までを覆うものであり、カバー部材１３の天部の内面１５は突出部１２の先端部、すなわち吸い上げ芯９の上端部が接触する高さ位置に設定されている。また、カバー部材１３の外面全体が装飾部としてパンダの頭部の装飾が施されている。またカバー部材１３の下端部内側面１４によって囲まれた開口は容器２の角柱状の本体３に対応する四角形に形成されている。
【００１４】
芳香発散装置１の使用方法について、図面にしたがって説明する。
図１に示すように、容器２の上方からカバー部材１３を被せると、図２に示すように、容器２は、その側面までがカバー部材１３によって覆われる。そして、下端部内側面１４が容器２の下端部に嵌り込んだ状態となる。従って、カバー部材１３の容器２に対する位置がずれるのを防止することができる。
また、カバー部材１３の天部の内面１５には突出部１２の先端部、すなわち吸い上げ芯９の上端部が接触する。突出部１２には液体芳香剤Ｆが浸透しているため、この液体芳香剤Ｆは突出部１２から内面１５に浸透し、さらに内面１５からカバー部材１３全体に浸透する。そして、液体芳香剤Ｆは、カバー部材１３の外面の略全体から発散される。
【００１５】
以上のように、芳香発散装置１のカバー部材１３は吸水性を有するセラミックによって構成されているため、吸い上げ芯９から吸い上げられた液体芳香剤Ｆは天部の内面１５からカバー部材１３の全体に浸透する。このカバー部材１３の全体に浸透した液体芳香剤Ｆは、カバー部材１３の外面の略全体から発散されるため発散量が多くなり、室内等に芳香を十分に行き渡らせることができる。
【００１６】
また、容器２を覆うカバー部材１３を備えたので、その外面全体を装飾部として装飾を施すことができる。従って、カバー部材１３に対し工夫したデザインを自由に施すことが可能となり、デザイン的に面白味のあるものにすることができる。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、本実施の形態の芳香発散装置１はパンダの頭部のデザインであったが、本考案はこれに限定されず、例えばヒトや他の動物、建物等、他のデザインであってもよいのは勿論である。
また、容器２はガラス製の角瓶であったが、本考案はこれに限定されず、合成樹脂等の他の材料で構成したものでもよく、さらに、丸瓶等であってもよい。
【産業上の利用可能性】
【００１８】
芳香発散装置の製造業等に利用可能性を有する。
【符号の説明】
【００１９】
１…芳香発散装置                  ２…容器
３…（容器の）本体                ４…首部
５…開口                          ６…拡径部
９…吸い上げ芯                    １１…吸い上げ部
１２…突出部                        １３…カバー部材
１４…下端部内側面                  １５…内面
Ｆ…液体芳香剤
【図１】
0003185811.tif 000003
【図２】
0003185811.tif 000004